【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
小型武器の銃身から発射するためのケースレス発射物の製造方法であって、
内面と、第１端部の開放部とを有するモールドを形成する工程と、
前記モールドの前記開放部にコアを配置して前記コアと前記内面との間に鋳造空間を形成する工程と、
液化された固化可能な材料を前記鋳造空間に導入する工程と、
前記モールドと前記コアとが相関して成形する工程であって、コアを除去するときに、閉じた弾頭を有するように発射物本体が形成される、工程と、
前記コアを前記発射物本体から引き抜いて、発射物本体に反対側開放端部と、前記反対側開放端部へ開放されたキャビティとを造出する工程と、
前記モールドから前記発射物本体を取り除く工程と、
発射薬を前記キャビティ内に設置する工程と、
を含む方法。
【請求項２】
さらに、液化可能な前記材料が流れ込む前記モールドの前記内面に１つ以上の周囲溝を形成する工程であって、固化するときに、対応する周囲フランジが前記発射物本体の外面周りに一体的に形成される工程、を含む請求項１に記載の方法。
【請求項３】
前記モールドが、前記発射物本体の最大直径Ｄ１が前記銃身の銃腔径Ｄｂよりも小さくなるように構成されている、請求項２に記載の方法。
【請求項４】
前記周囲溝が、前記対応するフランジが外径Ｄ２（ここで、Ｄｂ＜Ｄ２≦Ｄｇ（１＋Δ）であり、かつ０．０５≧Δ＞０であり、Ｄｇは前記銃身の旋底径である）を有するような深さで形成される、請求項２または３に記載の方法。
【請求項５】
前記モールドにインサートを設ける工程であって、前記インサートが前記キャビティ内で前記反対側開放端部よりも内方に配置され開放された端部を有し、それにより前記インサートが前記発射物本体内に成形され前記キャビティを規定する工程をさらに含む、請求項１から４のいずれか１つに記載の方法。
【請求項６】
前記インサートを、発射物本体よりも高いフープ強度を有する材料で形成する工程を含む、請求項５に記載の方法。
【請求項７】
前記モールド内に前記インサートを設ける工程が、前記コア上に前記インサートを設ける工程と、前記モールド内に前記コアを挿入する工程とを含み、前記コアが前記発射物本体から取り除かれる際に前記インサートが前記発射物本体内に保持される、請求項５または６に記載の方法。
【請求項８】
前記反対側開放端部をシールで密閉する工程をさらに含む、請求項１から７のいずれか１つに記載の方法。
【請求項９】
前記シールが、前記発射薬の爆燃を開始する点火薬として提供される、請求項８に記載の方法。
【請求項１０】
前記キャビティ内に前記シールを位置づけるシートを形成する工程をさらに含む、請求項８または９に記載の方法。
【請求項１１】
前記シートを形成する工程が、前記液化した材料が流れ込んで前記材料が固化すると前記シートが形成されるシート空間を形成するような様式で、前記コアと前記モールドの一方または両方を構成する工程を含む、請求項１０に記載の方法。
【請求項１２】
前記インサートの前記開放端部をシートとして用いる工程と、前記シートに点火薬を挿入することにより発射物本体の前記反対側開放端部を密閉する工程をさらに含む、請求項５から７のいずれか１つに記載の方法。
【請求項１３】
前記モールドを形成する工程が、少なくとも２つの別々の部分から前記モールドを形成する工程であって、前記少なくとも２つの別々の部分が、互いに合わされて前記鋳造空間を形成することができ、且つ互いに分離して前記モールドからの前記発射物本体の取り外しを容易にすることができる工程を含む、請求項１から１２のいずれか１つに記載の方法。
【請求項１４】
前記モールドを形成する工程が、開放され互いに反対側の第１端部および第２端部を有するモールドを形成する工程を含み、前記モールド内に前記コアを配置する工程が、前記コアを前記第１端部から前記モールド内に挿入する工程を含み、前記液化した材料を導入する工程が、前記材料を前記第２端部から前記モールド内に注入する工程を含む、請求項１３に記載の方法。
【請求項１５】
前記１以上の周囲溝を形成する工程が、２つの間隔をあけた周囲溝を形成して前記発射物本体周りに間隔を隔てた２つの周囲フランジを形成する工程を含み、第１のフランジが前記閉端部近傍にあり、第２のフランジが前記反対側端部近傍にあり、前記第２のフランジが前記第１のフランジの外径よりも大きい外径を有する、請求項４に記載の方法。
【請求項１６】
小型武器から発射するためのケースレス発射物の製造方法であって、
２つの部分を含むモールドを提供する工程であって、前記部分が互いに合わせられたときに前記モールドの内面を形成し、それぞれの部分が少なくとも半円状の溝を有しており、前記部分の前記溝が互いに合わせられて前記内面に周囲溝を形成する、工程と、
前記モールド内にコアを配置して前記コアと前記内面との間に鋳造空間を形成する工程と、
液化された固化可能な材料を前記鋳造空間に導入する工程と、
前記モールドと前記コアとが相関して成形する工程であって、前記モールドから前記コアを除去し前記モールドを開放するとき、発射物本体が前記材料から形成され、前記発射物本体が、この発射物本体の先端の閉じた弾頭と、反対側開放端部と、モールド内面の前記周囲溝に対応して前記発射物本体の外面周りに延在し一体的に形成された１つ以上の周囲フランジとを有する、工程と、
を含む方法。
【請求項１７】
前記モールドにインサートを設ける工程であって、前記インサートが前記キャビティ内で前記反対側開放端部よりも内方に配置され開放された端部を有し、それにより前記インサートが前記発射物本体内に成形され前記キャビティを規定する工程をさらに含む、請求項１６に記載の方法。
【請求項１８】
前記インサートを、発射物本体よりも高いフープ強度を有する材料で形成する工程を含む、請求項１７に記載の方法。
【請求項１９】
前記モールド内に前記インサートを設ける工程が、前記コア上に前記インサートを設ける工程と、前記モールド内に前記コアを挿入する工程とを含み、前記コアが前記発射物本体から取り除かれる際に前記インサートが前記発射物本体内に保持される、請求項１８に記載の方法。
【請求項２０】
発射物本体の反対側開放端部から、前記コアを引き抜く工程を含む、請求項１６から１９のいずれか１つに記載の方法。
【請求項２１】
前記反対側開放端部をシールで密閉する工程をさらに含む、請求項１６から１９のいずれか１つに記載の方法。
【請求項２２】
前記インサートの前記開放端部をシートとして用いる工程と、前記シート上に点火薬を挿入することにより発射物本体の前記反対側開放端部を密閉する工程をさらに含む、請求項１６から１９のいずれか１つに記載の方法。
【請求項２３】
小型武器の銃身から発射するためのケースレス発射物の製造方法であって、
内面を有するモールドを形成する工程と、
コア上に開放端部を有するインサートを配置し、前記モールドに前記コアを配置して前記インサートの外面と前記内面との間に鋳造空間を形成する工程と、
液化された固化可能な材料を前記鋳造空間に導入する工程（ここで、前記コアを除去するときに、閉じた弾頭と反対側開放端部とを有するように発射物本体が形成され、前記インサートが前記発射物本体内に保持され、前記インサート内に、反対側開放端部に開放されたキャビティが形成されるように、前記モールドと前記コアとが形成されている）と、
前記モールドから前記発射物本体を取り除く工程と、
前記インサート内に発射薬を設置する工程と、
を含む、方法。
【請求項２４】
さらに、液化可能な前記材料が流れ込む前記モールドの前記内面に１つ以上の周囲溝を形成する工程であって、固化するときに、対応する周囲フランジが前記発射物本体の外面周りに一体的に形成される工程を含む、請求項２３に記載の方法。
【請求項２５】
前記インサートを、前記発射物本体よりも高いフープ強度を有する材料で形成する工程を含む、請求項２３または２４に記載の方法。
【請求項２６】
前記インサートの前記開放端部をシートとして用いる工程と、前記シートに点火薬を挿入することにより前記発射物本体の前記反対側端部を密閉する工程をさらに含む、請求項２３から２５のいずれか１つに記載の方法。
【請求項２７】
前記モールドが、前記発射物本体の最大直径Ｄ１が前記銃身の銃腔径Ｄｂよりも小さくなるように構成されている、請求項２３から２６のいずれか１つに記載の方法。
【請求項２８】
前記周囲溝が、前記対応するフランジが外径Ｄ２（ここで、Ｄｂ＜Ｄ２≦Ｄｇ（１＋Δ）であり、かつ０．０５≧Δ＞０であり、Ｄｇは前記銃身の旋底径である）を有するような深さで形成される、請求項２７に記載の方法。
【請求項２９】
前記モールドを形成する工程が、少なくとも２つの別々の部分から前記モールドを形成する（ここで、それぞれの前記部分は前記発射物本体の長さよりも長い）工程であって前記部分が、互いに合わされて前記鋳造空間を形成することができ、且つ互いに分離して前記モールドからの前記発射物本体の取り外しを容易にすることができる工程を含む、請求項２３から２８のいずれか１つに記載の方法。
【手続補正２】
【補正対象書類名】明細書
【補正対象項目名】０００６
【補正方法】変更
【補正の内容】
【０００６】
本発明の一局面によると、武器の銃身から発射するためのケースレス発射物の製造方法が提供される。上記方法は、
内面と、第１端部の開放部とを有するモールドを形成する工程と、
前記モールドの前記開放部にコアを配置して前記コアと前記内面との間に鋳造空間を形成する工程と、
液化された固化可能な材料を前記鋳造空間に導入する工程と、
前記モールドと前記コアとが相関して成形する工程であって、コアを除去するときに、閉じた弾頭を有するように発射物本体が形成される、工程と、
前記コアを前記発射物本体から引き抜いて、発射物本体に反対側開放端部と、前記反対側開放端部に開放されたキャビティとを造出する工程と、
前記モールドから前記発射物本体を取り除く工程と、
発射薬を前記キャビティ内に設置する工程と、
を含む。
【手続補正３】
【補正対象書類名】明細書
【補正対象項目名】００１４
【補正方法】変更
【補正の内容】
【００１４】
さらなる実施形態では、モールドの内面に対して周囲リッジが設けられてもよい。周囲リッジは、液化可能材料が固化すると対応する周囲溝を発射物本体周りに形成する。この実施形態はさらに、周囲溝に密閉リッジを係合させる工程を含む。密閉リッジが使用される場合、密閉リッジは、弾薬を発射させる武器の銃身の内周面にシールを形成することができる。この実施形態に対する変形例では、周囲リッジは、各々が発射物本体周りに周囲溝を形成する複数のリッジのうちの１つであってもよい。
また、本発明のさらなる局面によると、小型武器から発射するためのケースレス発射物の製造方法が提供され、この方法は、
２つの部分を含むモールドを提供する工程であって、前記部分が互いに合わせられたときに前記モールドの内面を形成し、それぞれの部分が少なくとも半円状の溝を有しており、前記部分の前記溝が互いに合わせられて前記内面に周囲溝を形成する、工程と、
前記モールド内にコアを配置して前記コアと前記内面との間に鋳造空間を形成する工程と、
液化された固化可能な材料を前記鋳造空間に導入する工程と、
前記モールドと前記コアとが相関して成形する工程であって、前記モールドからコアを除去しモールドを開放するとき、発射物本体が前記材料から形成され、前記発射物本体が、この発射物本体の先端の閉じた弾頭と、反対側開放端部と、モールド内面の前記周囲溝に対応して前記発射物本体の外面周りに延在し一体的に形成された１つ以上の周囲フランジとを有する、工程と、
を含む。
また、本発明のさらなる局面によると、小型武器の銃身から発射するためのケースレス発射物の製造方法が提供され、この方法は、
小型武器の銃身から発射するためのケースレス発射物の製造方法であって、
内面を有するモールドを形成する工程と、
コア上に開放端部を有するインサートを配置し、前記モールドに前記コアを配置して前記インサートの外面と前記内面との間に鋳造空間を形成する工程と、
液化された固化可能な材料を前記鋳造空間に導入する工程（ここで、前記コアを除去するときに、閉じた弾頭と反対側開放端部とを有するように発射物本体が形成され、前記インサートが前記発射物本体内に保持され、前記インサート内に、反対側開放端部に開放されたキャビティが形成されるように、前記モールドと前記コアとが形成されている）と、
前記モールドから前記発射物本体を取り除く工程と、
前記インサート内に発射薬を設置する工程と、
を含む。